(57)【要約】【課題】ディスペンサーに変更を加えることなく、簡単な構成でディスペンサーの操作性の向上を図ったディスペンサー用補助具を提供する。【解決手段】押圧ヘッド４が操作者Ａにより操作されることにより容器本体３内に装填された内容物を吐出するディスペンサー２Ａに取り付けられるディスペンサー用補助具であって、押圧ヘッド４に装着される装着部１２Ａと、押圧ヘッド４の操作部８の操作面積よりも広い面積を有し操作時に操作者Ａに把持される把持部１１Ａとを設ける。【選択図】図３
2012126411.tif 000002
【特許請求の範囲】
【請求項１】
押圧ヘッドが操作者により操作されることにより容器本体内に装填された内容物を吐出するディスペンサーに取り付けられるディスペンサー用補助具であって、
前記押圧ヘッドに装着される装着部と、
前記押圧ヘッドの操作部の操作面積よりも広い面積を有し、操作時に前記操作者に把持される把持部とを有することを特徴とするディスペンサー用補助具。
【請求項２】
前記把持部の重さが１０ｇ以上６５ｇ以下であることを特徴とする請求項１記載のディスペンサー用補助具。
【請求項３】
前記把持部の前記操作者により把持される方向に対する長さが３．０ｃｍ以上５．５ｃｍ以下であることを特徴とする請求項１又は２記載のディスペンサー用補助具。
【発明の詳細な説明】
【技術分野】
【０００１】
本発明はディスペンサー用補助具に係り、特にディスペンサーの使用性の向上を図り得るディスペンサー用補助具に関する。
【背景技術】
【０００２】
例えばシャンプー等を内容物とするボトルタイプの容器には、内容物を定量取り出す機構であるディスペンサーが取り付けられている。このディスペンサーが設けられた容器（以下、ディスペンサー容器という）によれば、容器を傾けることなく単に定量ポンプの頭部に設けられた押ボタンを操作するだけで所定量の内容物を容器から取り出すことができる。
【０００３】
しかしながら、従来のディスペンサーは、単に内容物が充填された容器本体から押し釦が突出した構成であったため押し難く、また押し釦の面積が小さいために押し釦の押圧操作に強い力を必要とするという問題点があった。特に、高齢者等の比較的力の弱い人がディスペンサー容器の操作を行う場合、この問題は顕著となる。
【０００４】
そこで、ディスペンサーに梃子の原理を利用した操作レバー機構を設けることにより、小さい操作力で内容物を吐出することを可能とした構成が提案されている（特許文献１参照）。
【先行技術文献】
【特許文献】
【０００５】
【特許文献１】特開２０００−３３５６１８号公報
【発明の概要】
【発明が解決しようとする課題】
【０００６】
しかしながら、特許文献１に開示された方法では、ディスペンサーに複雑な操作レバー機構を設ける必要があり、部品点数が増加してコストが上昇してしまうという問題点がある。
【０００７】
また、特許文献１に開示されたディスペンサーは内容物の吐出に要する操作力は小さくて済むものの、操作する際には操作レバーを指で押圧する必要がある。しかしながら、特許文献１に開示されたディスペンサーでは操作部の面積が小さく、よって高齢者のような操作力が弱い使用者にとっては、依然として使用性が悪いという問題点があった。
【０００８】
本発明は上記の点に鑑みてなされたものであり、ディスペンサーに変更を加えることなく、簡単な構成でディスペンサーの操作性の向上を図りうるディスペンサー用補助具を提供することを目的とする。
【課題を解決するための手段】
【０００９】
上記の課題は、第１の観点からは、
押圧ヘッドが操作者により操作されることにより容器本体内に装填された内容物を吐出するディスペンサーに取り付けられるディスペンサー用補助具であって、
前記押圧ヘッドに装着される装着部と、
前記押圧ヘッドの操作部の操作面積よりも広い面積を有し、操作時に前記操作者に把持される把持部とを有することを特徴とするディスペンサー用補助具により解決することができる。
【００１０】
また上記発明において、前記把持部の重さは１０ｇ以上６５ｇ以下であることが望ましい。
【００１１】
また上記発明において、前記把持部の前記操作者により把持される方向に対する長さは３．０ｃｍ以上５．５ｃｍ以下であることが望ましい。
【００１２】
また上記発明において、前記押圧ヘッドに吐出ノズルを設け、前記装着部を前記押圧ヘッドを覆う被覆部を一体的に形成した構成としてもよい。
【発明の効果】
【００１３】
開示のディスペンサー用補助具によれば、ディスペンサーに複雑な機構を設けることなく、単にディスペンサーにディスペンサー用補助具を装着するだけで、押圧ヘッドの操作面積を実質的に広げることができる。これにより、操作者がディスペンサー用補助具を把持することによりディスペンサーの操作を行うことが可能となり、ディスペンサーの操作を容易に行うことが可能となる。
【図面の簡単な説明】
【００１４】
【図１】図１は、本発明の第１実施形態であるディスペンサー用補助具を説明するための図であり、ディスペンサー用補助具をディスペンサーから取り外した状態を示す図である。
【図２】図２は、本発明の第１実施形態であるディスペンサー用補助具を説明するための図であり、ディスペンサー用補助具をディスペンサーに装着した状態を示す図である。
【図３】図３は、本発明の第１実施形態であるディスペンサー用補助具を説明するための図であり、ディスペンサー用補助具の使用状態を示す図である。
【図４】図４は、従来の一例であるディスペンサーの使用状態を示す図である。
【図５】図５は、本発明の第２実施形態であるディスペンサー用補助具を説明するための図であり、ディスペンサー用補助具をディスペンサーから取り外した状態を示す図である。
【図６】図６は、本発明の第２実施形態であるディスペンサー用補助具を説明するための図であり、ディスペンサー用補助具をディスペンサーに装着した状態を示す図である。
【図７】図７は、本発明の第２実施形態であるディスペンサー用補助具を説明するための図であり、ディスペンサー用補助具の使用状態を示す図である。
【図８】図８は、従来の一例であるディスペンサーの使用状態を示す図である。
【図９】図９は、第１及び第２の実施形態に係るディスペンサー用補助具を用いたときのディスペンサーの使用感のアンケート結果を示す図である。
【図１０】図１０は、ディスペンサー用補助具の把持部の寸法を変化したときのディスペンサーの使用感のアンケート結果を示す図である。
【図１１】図１１は、ディスペンサー用補助具の重さを変化したときのディスペンサーの使用感のアンケート結果を示す図である。
【図１２】図１２は、本発明の第３実施形態であるディスペンサー用補助具を説明するための図である。
【発明を実施するための形態】
【００１５】
次に、本発明の実施の形態について図面と共に説明する。
【００１６】
図１乃至図３は、本発明の第１実施形態であるディスペンサー用補助具１０Ａを説明するための図である。また、図５乃至図７は、本発明の第２実施形態であるディスペンサー用補助具１０Ｂを説明するための図である。
【００１７】
図１及び図２はディスペンサー用補助具１０Ａ及びこれが装着されるディスペンサー容器１Ａを示す側面図であり、図３はディスペンサー用補助具１０Ａの使用状態を示す図である。また、図５及び図６はディスペンサー用補助具１０Ｂ及びこれが装着されるディスペンサー容器１Ｂを示す側面図であり、図７はディスペンサー用補助具１０Ｂの使用状態を示す図である。
【００１８】
ここで説明の便宜上、ディスペンサー用補助具１０Ａ，１０Ｂの説明に先立ち、ディスペンサー用補助具１０Ａ，１０Ｂが装着されるディスペンサー容器１Ａ，１Ｂについて説明する。尚、ディスペンサー容器１Ａとディスペンサー容器１Ｂは押圧ヘッド４Ａ，４Ｂの構成の相違を除き同一構成である。このため、先ず、ディスペンサー容器１Ａの構成について説明し、その後にディスペンサー容器１Ｂのディスペンサー容器１Ａと異なる構成について説明するものとする。
【００１９】
ディスペンサー容器１Ａは、ディスペンサー２Ａと容器本体３等を有した構成とされている。容器本体３は樹脂製のボトル容器であり、内部に化粧料等の内容物が装填される。また、ディスペンサー２Ａは、押圧ヘッド４Ａ、キャップ７、ステム９、ピストン、ばね、及びポンプハウジング等を有した構成とされている。このディスペンサー２Ａは、押圧ヘッド４Ａを操作者Ａが操作することにより容器本体３内の内容物（化粧料）を定量吐出する機能を奏する。
【００２０】
容器本体３の上部には開口が形成されており、この開口の外周部には螺子が形成されている。キャップ７は、この螺子に螺着する構成とされている。キャップ７がこの螺子に螺着することにより、ディスペンサー２Ａは容器本体３に固定される。
【００２１】
ポンプハウジング（図に現れず）は、ディスペンサー２Ａが容器本体３に装着された状態で容器本体３の内部に位置している。このポンプハウジングは、シリンダとして機能するものであり、下部には吸引された内容物が逆流するのを防止する逆止弁が設けられている。また、ポンプハウジングの逆止弁の下部位置には、容器本体３に装填された内容物を吸引するためのディップチューブ（図に現れず）が接続されている。
【００２２】
ステム９は、ポンプハウジングに往復動可能に挿入される。このステム９は、ポンプハウジングに内接されたばねにより図中矢印Ｚ１方向（押圧ヘッド４Ａの操作方向と反対方向）に付勢されている。従って、ディスペンサー２Ａを操作して内容物を吐出する場合、このばねの弾性力に抗して押圧ヘッド４Ａの操作部８をＺ１方向に向けて押圧操作する必要がある。
【００２３】
また、ステム９の下端部にはポンプハウジングの内壁に液密に接するピストン（図に現れず）が設けられている。よって、ステム９が図中矢印Ｚ１，Ｚ２方向に移動することにより、ピストンもポンプハウジング内をＺ１，Ｚ２方向に移動することになる。
【００２４】
更に、ステム９の上端部には押圧ヘッド４Ａが配設されている。この押圧ヘッド４Ａは、上端部に操作者Ａに操作される操作部８を有し、また側面にはステム９に接続され内容物を外部に吐出する吐出口５Ａが形成されている。
【００２５】
次に、上記構成されたディスペンサー２Ａ及び容器本体３を有するディスペンサー容器１Ａにおいて、ディスペンサー２Ａの押圧ヘッド４Ａを押し込んだときの動作について説明する。尚、ポンプハウジングには、予め内容物が吸引されているものとする。
【００２６】
押圧ヘッド４Ａをポンプハウジングに内接されたばねの弾性力に抗して押し込むと、これに伴いステム９はＺ１方向に移動する。よって、ステム９に配設されたピストンもポンプハウジング内をＺ１方向に移動する。ピストンはポンプハウジングの内壁に液密に接している。また、ポンプハウジング内の逆止弁は、内容物のポンプハウジング内への吸入は許容するが、容器本体３への逆流は規制する構成とされている。従って、押圧ヘッド４Ａを押し込むことによりポンプハウジング内は加圧され、ポンプハウジング内に吸引されていた内容物はステム９を通り吐出口５Ａから外部に吐出される。
【００２７】
一方、押圧ヘッド４Ａの押し込みを解除すると、ステム９はポンプハウジングに内接したばねの弾性復元力によりＺ２方向に移動を行う。これにより、ピストンはステム９と共にＺ１方向に移動し、ポンプハウジングの内部を拡張して負圧化する。この負圧により、逆止弁が開弁し、容器本体３の内容物はディップチューブを介してポンプハウジング内に吸引され、次の吐出動作に備える。
【００２８】
次に、ディスペンサー容器１Ｂについて説明する。前記のようにディスペンサー容器１Ｂは前記したディスペンサー容器１Ａと略同一構成であるが、押圧ヘッド４Ｂの構成がディスペンサー容器１Ａの押圧ヘッド４Ａと異なっている。
【００２９】
具体的にはディスペンサー容器１Ａのディスペンサー２Ａは、押圧ヘッド４Ａに吐出口５Ａが直接設けられており、主に内容物を霧状にして吐出するものである。これに対してディスペンサー容器１Ｂのディスペンサー２Ａは、図５〜図７に示すように、押圧ヘッド４Ｂに吐出ノズル６が設けられており、その先端部に吐出口５Ｂが形成された構成とされている。この構成とされたディスペンサー２Ｂは、容器本体３内の内容物（化粧料）を主に液状で定量吐出するのに用いられるものである。
【００３０】
尚、図５〜図７において、図１〜図３に示した構成と同一構成については同一符号を付して示し、その説明については所略するものとする。
【００３１】
図４，図８は、上記した構成を有したディスペンサー容器１Ａ，１Ｂの一般的な使用方法を示している。各図に示すように、ディスペンサー容器１Ａ，１Ｂを使用する際、一般的には操作者Ａは容器本体３を把持し、主に人差し指を用いて押圧ヘッド４Ａ，４Ｂの操作部８を押圧操作（Ｚ１方向に操作）することにより内容物を吐出する方法を用いる。年齢が低い操作者Ａの場合、この一般的な使用方法で特に使用性を問題することは生じていない。
【００３２】
しかしながら、１８人の高齢者（平均年齢81.8歳）に対してディスペンサー容器１Ａ，１Ｂを使用してもらい、その操作性についてのアンケートを取ったところ、１８人の全員が使用性が不良であるとの回答であった。このようにディスペンサー容器１Ａ，１Ｂの使用性が若年層に対して高齢者が悪化するのは、加齢により発生する、(a)関節や骨の萎縮，硬直，屈曲、(b)筋力の低下、(c)関節が曲がりにくい、(d)握力の低下等に原因しているものと考えられる。
【００３３】
また、図４及び図８に示すように、ディスペンサー容器１Ａ，１Ｂの通常の使用時には、操作者Ａは容器本体３を把持すると共に人差し指１本で操作部８を押圧操作する。上記のように加齢により身体的な各種低下が発生した高齢者では、指１本による操作は困難で、これも高齢者がディスペンサー容器１Ａ，１Ｂの使用性を不良とする原因のひとつであると考えられる。
【００３４】
第１及び第２実施形態であるディスペンサー用補助具１０Ａ，１０Ｂは、ディスペンサー２Ａ，２Ｂに取り付けることにより、高齢者が使用を行う場合であってもこのディスペンサー２Ａ，２Ｂの使用性を向上させる補助具である。以下、ディスペンサー用補助具１０Ａ，１０Ｂの詳細について説明する。
【００３５】
第１実施形態に係るディスペンサー用補助具１０Ａは、図１〜図３に示した吐出口５Ａが直接設けられた押圧ヘッド４Ａを有するディスペンサー２Ａに対応したものである。また、第２実施形態に係るディスペンサー用補助具１０Ｂは、図５〜図７に示した吐出ノズル６が設けられた押圧ヘッド４Ｂを有するディスペンサー２Ｂに対応したものである。以下の説明では、基本的にはディスペンサー用補助具１０Ａ，１０Ｂを一括的に説明し、必要に応じてディスペンサー用補助具１０Ａとディスペンサー用補助具１０Ｂとを分けて説明するものとする。
【００３６】
第１及び第２実施形態であるディスペンサー用補助具１０Ａ，１０Ｂは、把持部１１Ａ，１１Ｂ及び装着部１２Ａ，１２Ｂを有した構成とされている。このディスペンサー用補助具１０Ａの材料は特に限定されるものではないが、例えばＡＢＳ樹脂，ポリカーボネート樹脂，ポリプロピレン樹脂等の樹脂材料、アルミニウム，ステンレス等の金属材料、各種ゴム、各種スポンジ素材等を用いることができる。
【００３７】
把持部１１Ａ，１１Ｂは、操作者Ａに把持される部位である。第１実施形態では、図１〜図３に示すように把持部１１Ａの形状を球形状としている。即ち、第１実施形態のディスペンサー用補助具１０Ａを適用するディスペンサー２Ａは押圧ヘッド４Ａに吐出口５Ａが直接形成された構成であり、第２実施形態のように吐出ノズル６を有していない。よって、第１実施形態に係るディスペンサー用補助具１０Ａでは、把持部１１Ａの形状を高齢者でも把持が行い易い球形状としている。
【００３８】
これに対し、第２実施形態に係るディスペンサー用補助具１０Ｂは、吐出ノズル６を有している。このため、第２実施形態に係るディスペンサー用補助具１０Ｂでは、図５〜図７に示すように、ディスペンサー用補助具１０Ａに比べて吐出ノズル６の延出方向に長く延出した形状とされている。把持部１１Ｂをこのような長く延出させることによっても、高齢者にとって把持が容易な形状とすることができる。
【００３９】
この把持部１１Ａ，１１Ｂの把持される部分の面積は、ディスペンサー容器１Ａ，１Ｂの操作部８の面積（図４及び図８に示す人差し指で押される部分の面積）よりも広い面積となっている。
【００４０】
一方、装着部１２Ａ，１２Ｂは、ディスペンサー２Ａ，２Ｂの押圧ヘッド４Ａ，４Ｂに装着される部位である。装着部１２Ａは、ディスペンサー２Ａの押圧ヘッド４Ａの形状に対応して形成されており、装着部１２Ｂはディスペンサー２Ｂの押圧ヘッド４Ａの形状に対応して形成されている。特に、装着部１２Ｂは押圧ヘッド４Ｂに形成された吐出ノズル６を内部に収納するよう構成されている。これにより、ディスペンサー用補助具１０Ｂのディスペンサー２Ａへの装着性の向上を図っている。
【００４１】
尚、本実施形態では装着部１２Ａ，１２Ｂを押圧ヘッド４Ａ，４Ｂに圧入することにより装着する構成としているが、固定部材や固定機構を別箇に設けることにより、より強固に装着する構成とすることも可能である。
【００４２】
図３及び図７は、ディスペンサー用補助具１０Ａ，１０Ｂを装着したディスペンサー２Ａ，２Ｂを使用している状態を示す図である。
【００４３】
高齢者にとっては、容器本体３を把持してディスペンサー２Ａ，２Ｂを操作することは困難な操作である。そこで本実施形態に係るディスペンサー用補助具１０Ａ，１０Ｂを用いてディスペンサー容器１Ａ，１Ｂを使用する際、机等の基台上に載置した状態でディスペンサー２Ａ，２Ｂの操作が行われる。これにより、操作者Ａは容器本体３を把持する必要はなくなり、ディスペンサー容器１Ａ，１Ｂの使用性の向上を図ることができる。
【００４４】
また、操作者Ａがディスペンサー２Ａ，２Ｂを操作する際、ディスペンサー２Ａ，２Ｂには本実施形態に係るディスペンサー用補助具１０Ａ，１０Ｂが設けられているため、操作者Ａはディスペンサー用補助具１０Ａ，１０Ｂを把持して、換言すると５本の指を全て用いてディスペンサー２Ａ，２Ｂを操作することが可能となる。
【００４５】
図９は、ディスペンサー用補助具１０Ａ，１０Ｂを装着したディスペンサー容器１Ａ，１Ｂを前記した１８人の高齢者（平均年齢81.8歳）に使用してもらい、その操作性についてのアンケートを取った結果を示している。尚、以下説明する図１０，１１に示す使用性調査の結果も同じ１８人の高齢者に対してアンケートを取った結果である。
【００４６】
前記のように、ディスペンサー用補助具１０Ａ，１０Ｂを装着しない場合には１８人の全員が使用性が悪いとしていたが、ディスペンサー用補助具１０Ａ，１０Ｂを装着することにより「使いやすくなった」とした人がディスペンサー用補助具１０Ａ，１０Ｂのいずれにおいても１１人となり、「わからない」，「使いにくくなった」と回答した人数に対して大幅に多くなった。この結果より、ディスペンサー２Ａ，２Ｂにディスペンサー用補助具１０Ａ，１０Ｂを装着することにより、高齢者におけるディスペンサー容器１Ａ，１Ｂの使用性が向上することが立証された。
【００４７】
またリウマチにより手指に拘縮がおきている高齢者２名は、ディスペンサー用補助具１０Ａ，１０Ｂがない状態ではディスペンサー２Ａ，２Ｂの操作ができなかったが、ディスペンサー用補助具１０Ａ，１０Ｂを使用することでディスペンサー２Ａ，２Ｂを操作して内容物の吐出を行うことが可能となった。
【００４８】
図１０は、ディスペンサー用補助具１０Ａ，１０Ｂの把持される方向に対する長さを変化させたとき、使用性が良好であると答えた人数を示している。ここで、把持される方向に対する長さとは、球形状を有したディスペンサー用補助具１０Ａでは把持部１１Ａの直径をいい、また平面視で円形以外の形状を有する把持部１１Ｂにおいては平面視で最も幅の狭い部分の幅寸法をいうものとする。
【００４９】
同図において、把持部１１Ａ-1は直径を2.5cmとしたものであり、把持部１１Ａ-2は直径を3.0cm、把持部１１Ａ-3は直径を5.5cm、１１Ａ-4は直径を6.0cmとしたものである。このアンケート結果より、把持部１１Ａの大きさは3.0cm未満であると小さすぎて操作性が低下し、また5,5cmを超えると大きすぎて操作性が低下することが判明した。よって、球形状を有したディスペンサー用補助具１０Ａでは、把持される方向に対する長さを最狭幅3.0cm以上5.5cm以下に設定することにより、ディスペンサー容器１Ａの使用性を向上させることがわかった。
【００５０】
一方、把持部１１Ｂ-1〜11B-4は、把持部の形状が球状ではないディスペンサー用補助具１０Ｂを示している。把持部１１ＢＡ-1は最狭幅を2.5cmとしたものであり、把持部１１Ｂ-2は最狭幅を3.0cm、把持部１１Ｂ-3は最狭幅を5.5cm、１１Ｂ-4は最狭幅を6.0cmとしたものである。この場合においても球形状の把持部１１Ａと同等の結果をえることができ、把持部１１Ｂの大きさが3.0cm未満であると小さすぎて操作性が低下し、また5,5cmを超えると大きすぎて操作性が低下することが判明した。よって、球形状以外の形状を有したディスペンサー用補助具１０Ｂにおいても、把持される方向に対する長さを3.0cm以上5.5cm以下に設定することにより、ディスペンサー容器１Ｂの使用性を向上させることがわかった。
【００５１】
また図１１は、球形状を有するディスペンサー用補助具１０Ａを用いると共に、ディスペンサー用補助具１０Ａの重さを変化させたときの使用性の評価を示したものである。同図に示されるように、１１Ａの重さも使用性に影響を及ぼし、把持部１１Ａの重さが１０ｇ以上６５ｇ以下であるときに使用性が向上することが判明した。これは、把持部１１Ａの重さが１０ｇ未満であると装着時の安定性が損なわれるため使用性が低下し、逆に把持部１１Ａの重さが６５ｇを越えると重くなり、ディスペンサー用補助具１０Ａを持ち、ディスペンサー２Ａの押圧ヘッド４Ａの上に装着する操作が困難になり操作性が低下するためである。
【００５２】
図１２は、第３実施形態であるディスペンサー用補助具１０Ｃを示している。本実施形態に係るディスペンサー用補助具１０Ｃは、傾いた状態で使用されるディスペンサー容器１Ａに装着されるものである。
【００５３】
ディスペンサー容器１Ａは、容器ホルダ２０の収納部２１に収納されることにより傾いた状態で保持される。このように、容器ホルダ２０を用いてディスペンサー容器１Ａを傾いた状態で保持することにより、吐出口５Ａからの内容物の吐出方向を下側に向けることができ、使用性の向上を図ることができる。
【００５４】
ディスペンサー用補助具１０Ｃは、このように傾いて使用されるディスペンサー容器１Ａに対して装着されるものである。このディスペンサー用補助具１０Ｃは、把持部１１Ｃの下部に三角状部１３が設けられており、この三角状部１３に装着部１２Ｃが形成されている。よって、押圧ヘッド４Ａが傾いた状態であっても、三角状部１３により装着時に把持部１１Ｃを上方向に向いた状態とすることができる。
【００５５】
このように、容器ホルダ２０に装着されることにより傾いた状態のディスペンサー容器１Ａであっても、ディスペンサー用補助具１０Ｃを設けることにより、このディスペンサー用補助具１０Ｃを把持することによりディスペンサー２Ａを操作することが可能となる。よって、本実施形態によれば、内容物の吐出方向が下側に向くことによる使用性の向上と、ディスペンサー用補助具１０Ｃによる使用性の向上の双方を実現することが可能となる。
【００５６】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００５７】
１Ａ，１Ｂ  ディスペンサー容器
２Ａ，２Ｂ  ディスペンサー
３  容器本体
４Ａ，４Ｂ  押圧ヘッド
５Ａ，５Ｂ  吐出口
６  吐出ノズル
７  キャップ
８  操作部
１０Ａ，１０Ｂ，１０Ｃ  ディスペンサー用補助具
１１Ａ，１１Ｂ，１１Ｃ  把持部
１２Ａ，１２Ｂ，１２Ｃ  装着部
１３  三角状部
２０  容器ホルダ
２１  収納部
【図１】
2012126411.tif 000003
【図２】
2012126411.tif 000004
【図３】
2012126411.tif 000005
【図４】
2012126411.tif 000006
【図５】
2012126411.tif 000007
【図６】
2012126411.tif 000008
【図７】
2012126411.tif 000009
【図８】
2012126411.tif 000010
【図９】
2012126411.tif 000011
【図１０】
2012126411.tif 000012
【図１１】
2012126411.tif 000013
【図１２】
2012126411.tif 000014